(57)【要約】【課題】  本発明は、カード型電子機器の転用、再利用等を防止することを課題とする。【解決手段】  ＩＣチップが取り付けられ、外部機器と固有情報の送受信を行う送受信回路等を形成した変形し難い板状のプリント配線基板と、アンテナ回路をプリント形成した可撓性のアンテナシートを備え、アンテナシートがプリント配線基板に重ね合わされた状態で外装ケースに収容されて保護カバーで覆い、アンテナシートは、外装ケースの中間部に形成した横断スリットを通して外装ケースの一方側と他方側に亘り、この配置によってアンテナ回路部が外装ケースに形成した係止部を取り囲む配置となること。【選択図】  図３
2011232909.tif 000002
【特許請求の範囲】
【請求項１】
外部機器と固有情報の送受信を行うカード型電子機器であって、ＩＣチップが取り付けられ、外部機器と固有情報の送受信を行う送受信回路を形成した変形し難い板状のプリント配線基板と、アンテナ回路をプリント形成した可撓性の合成樹脂製アンテナシートを備え、前記アンテナシートが前記プリント配線基板に重ね合わされた状態で外装ケースに収容されて保護カバーで覆われ、前記アンテナシートは、前記外装ケースの中間部に形成した横断スリットを通して前記外装ケースの一方側と他方側に亘って配置されると共に、この配置によって前記アンテナ回路部が前記外装ケースに形成した係止部を取り囲む配置となることを特徴とするカード型電子機器。
【請求項２】
前記外装ケースの周縁部には、前記アンテナシートと前記プリント配線基板が重ね合わされた状態で接着保持される接着部を形成し、前記周縁部の内側には、くさび形の係止部を形成したことを特徴とする請求項１に記載のカード型電子機器。
【請求項３】
前記係止部を取り囲む配置の前記アンテナ回路部は、コーナ部が破断し易い逆くさび形状をなすことを特徴とする請求項１または２に記載のカード型電子機器。
【発明の詳細な説明】
【技術分野】
【０００１】
本発明は、カード型電子機器に関し、特に、固有情報を格納するＩＣチップを含む電子回路を備えたプリント基板と、このプリント基板の電子回路に接触して送受信用アンテナ回路を形成した可撓性アンテナシート等を外装ケースに収容したカード型電子機器において、アンテナシートの不正引き出しの場合には再利用できないようにするものである。
【背景技術】
【０００２】
カード型電子機器は、クレジットカード、現金取引カード等、種々の形態があり、マイクロプロセッサ、メモリ、アンテナ回路等が備えられ、外部機器と固有情報の送受信を行うものであり、固有情報が不正利用されることの防止策として、不正読み取り防止回路を設けて電気的に不正読み取り防止を行うようになっているが、電気回路を物理的に破壊して不正利用を防止するものもある。
【０００３】
この後者の形態に関し、ＩＣチップを両面プリント基板の一方側の面に取り付け、ＩＣチップと回路を保護体でカバーしてＩＣモジュールを構成し、このＩＣモジュールをカードコアに接着にて取り付けたものがあり、悪用の目的でＩＣモジュールをカードコアから剥がし、このＩＣモジュールが不正使用されることを防止するための技術がある。これは、両面プリント基板は、厚さ０．１０ｍｍ〜０．２５ｍｍのように極めて薄いシートとし、このシートの端部に、外部の読み取り書き込み装置と接続するための複数の接続端子部をプリントし、この複数の接続端子部相互間の絶縁部にスリット等の破断部を形成しておく。これによって、ＩＣモジュールの端部を持ち上げ剥離すべくこの極めて薄いシートの端部を持ち上げた際に、この破断部から破壊して、極めて薄いシートの両面プリント基板が引き裂かれ、接続端子部を物理的に破壊する構成であり、これによって、ＩＣモジュールの転用、再利用による偽造、変造を防止するものである（特許文献１参照）。
【先行技術文献】
【特許文献】
【０００４】
【特許文献１】特開平０８−０３９９７７号公報
【発明の概要】
【発明が解決しようとする課題】
【０００５】
特許文献１のものは、ＩＣチップを取り付ける両面プリント基板を厚さ０．１０ｍｍ〜０．２５ｍｍのように極めて薄いシートとし、このシートをカードコアに接着にて取り付けたものであって、このシートを剥がしたときに破断して、接続端子部を物理的に破壊し、再利用できないようにするものである。
【０００６】
カード型電子機器としては、クレジットカード、現金取引カード等、種々の形態があり、マイクロプロセッサ、メモリを備え、外部機器と固有情報の送受信を行うために、アンテナ回路や送受信回路等を備えたものもある。このようなカード型電子機器においては、マイクロプロセッサ、メモリ、アンテナ回路、送受信回路等を含むプリント配線基板等が外装ケースに収容された形態とするものが発明されている。
【０００７】
このように外部機器と固有情報の送受信を行う場合は、プリント配線基板は薄いシートではなく、マイクロプロセッサ及びメモリ等のＩＣチップの取り付け保持、送受信回路等との接続端子の形成等を考慮して、プリント配線基板は厚さ１ｍｍ前後の変形し難い板状のものが使用される。一方、アンテナ回路は、所定の長さのアンテナが必要となるため、これをプリント配線基板に形成すればプリント配線基板が大きくなり、カード型電子機器が大型化するので好ましくない。
【０００８】
本発明は、このような点に鑑み、外部機器と固有情報の送受信を行うカード型電子機器であって、マイクロプロセッサやメモリ等のＩＣチップが取り付けられ、外部機器と固有情報の送受信を行う送受信回路等を形成した変形し難い板状のプリント配線基板とし、アンテナ回路は、プリント配線基板とは別に、アンテナ回路をプリント形成した厚さ０．１０ｍｍ〜０．２０ｍｍのように極めて薄い可撓性の合成樹脂製アンテナシートとし、このアンテナシートをプリント配線基板に重ね合わせた状態で、外装ケースに収容し、容易に取り外しできないように外装ケースに接着した状態で、保護カバーで覆う形態とする。
【０００９】
このような構成のカード型電子機器において、本発明は、特に、保護カバーを剥離し、アンテナシートとプリント配線基板を剥離して取り出そうとする悪意操作が行われるとき、アンテナシートの取り出しに伴って外装ケースの係止部に係止して、アンテナ回路が破断する構成とするものであり、これによって、カード型電子機器の転用、再利用等を防止するものである。
【課題を解決するための手段】
【００１０】
第１発明は、外部機器と固有情報の送受信を行うカード型電子機器であって、ＩＣチップが取り付けられ、外部機器と固有情報の送受信を行う送受信回路を形成した変形し難い板状のプリント配線基板と、アンテナ回路をプリント形成した可撓性の合成樹脂製アンテナシートを備え、前記アンテナシートが前記プリント配線基板に重ね合わされた状態で外装ケースに収容されて保護カバーで覆われ、前記アンテナシートは、前記外装ケースの中間部に形成した横断スリットを通して前記外装ケースの一方側と他方側に亘って配置されると共に、この配置によって前記アンテナ回路部が前記外装ケースに形成した係止部を取り囲む配置となることを特徴とする。
【００１１】
第２発明は、第１発明において、前記外装ケースの周縁部には、前記アンテナシートと前記プリント配線基板が重ね合わされた状態で接着保持される接着部を形成し、前記周縁部の内側には、外装ケース面の前記係止部を形成したことを特徴とする。
【００１２】
第３発明は、第１発明または第２発明において、前記係止部を取り囲む配置の前記アンテナ回路部は、コーナ部が破断し易い矩形状をなすことを特徴とする。
【００１３】
第４発明は、前記係止部をくさび形状としてアンテナシートのコーナ部が破断しやすくしたことを特徴とする。
【発明の効果】
【００１４】
本発明では、アンテナシートがプリント配線基板に重ね合わされた状態で、外装ケースに収容されて保護カバーで覆われていて、アンテナシートは、外装ケースの中間部に形成した横断スリットを通して外装ケースの一方側と他方側に亘って配置される状態であるため、保護カバーを剥がした状態で、アンテナシートを引っ張っても、横断スリットに引っ掛かる抵抗によって容易に引き出し難い。そして、無理に引き出したとき、アンテナ回路部が係止部に引っ掛かって破断するため、カード型電子機器の転用、再利用が防止できる。
【図面の簡単な説明】
【００１５】
【図１】本発明に係るカード型電子機器の表側斜視図である。
【図２】本発明に係るカード型電子機器の裏側斜視図である。
【図３】本発明に係るカード型電子機器の分解斜視図である。
【図４】本発明に係るカード型電子機器の分解側面図である。
【図５】本発明に係るカード型電子機器の外装ケースの横断スリットから延出したアンテナシートの一方側（表側）の配置状態を示す斜視図である。
【図６】本発明に係るカード型電子機器の外装ケースの横断スリットから延出したアンテナシートの他方側（裏側）の配置状態を示す斜視図である。
【発明を実施するための形態】
【００１６】
本発明に係るカード型電子機器は、外部機器と固有情報の送受信を行う為の回路や情報を格納する為のメモリ等を備えたカード型電子機器であって、マイクロプロセッサやメモリ等のＩＣチップが取り付けられ、外部機器と固有情報の送受信を行う送受信回路、及び制御部等を形成した変形し難い板状のプリント配線基板と、アンテナ回路をプリント形成した可撓性の合成樹脂製アンテナシートを備え、前記アンテナシートが前記プリント配線基板に重ね合わされた状態で外装ケースに収容されて保護カバーで覆われ、前記アンテナシートは、前記外装ケースの中間部に形成した横断スリットを通して前記外装ケースの一方側と他方側に亘って配置されると共に、この配置によって前記アンテナ回路部が前記外装ケースに形成した係止部を取り囲む配置となるものである。
【実施例１】
【００１７】
先ず、本発明に係るカード型電子機器を図に基づき説明する。図１〜３において、カード型電子機器１は、変形し難い矩形状形態をなすように合成樹脂成形された外装ケース２に、プリント配線基板３と、アンテナシート４が取り付けられている。外装ケース２には、表側の周縁部にプリント配線基板３の周縁部を載置し接着する載置部１１を形成している。又、外装ケース２の中央部には、凹部１１と裏面の凹部１２との間の部分に、アンテナシート４の厚さよりも若干大なるスリット幅でもってアンテナシート４を挿通する横断スリット１４が形成されている。
【００１８】
プリント配線基板３は、外装ケース２よりも若干小さい平面積を有する矩形状をなし、図示せぬマイクロプロセッサ等のＩＣチップが取り付けられ、更には外部機器と固有情報の送受信を行う送受信回路部を形成した変形し難い絶縁材で形成した板状である。アンテナシート４は、片面にアンテナ回路４Ａをプリント形成した厚さ０．１０ｍｍ〜０．２０ｍｍのように極めて薄い可撓性の合成樹脂製である。アンテナシート４はプリント配線基板３と略同じ外形寸法をなす。
【００１９】
収容凹部１１は外装ケース２に窪み形状で形成されている。収納凹部１２は収納凹部１１の反対面に窪み形状で形成されており、くさび形の係止部２２Ａ、２２Ｂを有する。
【００２０】
１６は外装ケース２の一方側（実施例では表側）を覆うための表側保護カバーであり、例えば、接着剤や表面が粘着性のあるシール部材によってプリント配線基板３の表側を覆う状態にプリント配線基板３に接着される。１７は外装ケース２の他方側（実施例では裏側）領域４Ｃを覆う裏側保護カバーである。
【００２１】
カード型電子機器１の組み立て構成について説明する。アンテナシート４の開口４Ｂ周縁のアンテナ回路４Ａの部分４Ｄがくさび形の係止部２２Ａ，２２Ｂを取り囲むように、アンテナシート４の略半分の部分４Ｄが外装ケース２の一方側の面である表側に配置され、アンテナシート４の中間部が横断スリット１４を通り、アンテナシート４の残りの略半分４Ｃが外装ケース２の他方側の面である裏側に配置される関係でもって、アンテナシート４が外装ケース２に接着される。又、外装ケース２の表側にプリント配線基板３が配置される。
【００２２】
このように外装ケース２にプリント配線基板３、アンテナシート４が取り付けられた状態で、プリント配線基板３の表側を覆うように表側保護カバー１６が取り付けられる。また、外装ケース２の裏側に配置されたアンテナシート４の残りの略半分の部分４Ｃが裏側保護カバー１７にて覆われる。
【００２３】
上記のように組み立てられたカード型電子機器１に対して、不正行為によって裏側保護カバー１７を剥がし、アンテナシート４を引き出し、プリント配線基板３を取り出そうとした場合において、アンテナシート４を引き出すとき、アンテナシート４の中間部が横断スリット１４を通っているため、引出し難い。うまくアンテナシート４を引き出しても、その途上でアンテナ回路４Ａの部分４Ｄがくさび形の係止部２２に引っ掛かり、引き出しが阻止される。それ以上無理にアンテナシート４を引き出したときは、アンテナ回路４Ａの部分４Ｄが破断する。プリント配線基板３を取り出しても、このアンテナシート４の破断によって、悪意によるカード型電子機器の転用、再利用が防止できるものとなる。
【００２４】
上記の構成では、アンテナ回路４Ａのコーナ部４Ｋが形成される。このため、アンテナシート４を引き出した際、左右のコーナ部４Ｋ間が係止部２２Ａ、２２Ｂに引っ掛かった状態から、左右のコーナ部４Ｋの両方または一方に引張りによる作用力が働き、その箇所が破断し易くなる効果が得られる。
【産業上の利用可能性】
【００２５】
本発明に係るカード型電子機器は、上記実施例に示した構成に限定されず、種々の形態のものに適用できるものであり、本発明の技術範囲において種々の形態を包含するものである。
【符号の説明】
【００２６】
１・・・・・カード型電子機器
２・・・・・外装ケース
３・・・・・プリント配線基板
４・・・・・アンテナシート
４Ａ・・・・アンテナ回路
４Ｂ・・・・アンテナシートの開口
４Ｄ・・・・アンテナ回路
４Ｋ・・・・アンテナ回路４Ａのコーナ部
１６・・・・表側保護カバー
１７・・・・裏側保護カバー
２２Ａ、２２Ｂ・・・・係止部
【図１】
2011232909.tif 000003
【図２】
2011232909.tif 000004
【図３】
2011232909.tif 000005
【図４】
2011232909.tif 000006
【図５】
2011232909.tif 000007
【図６】
2011232909.tif 000008